(57)【要約】【課題】  女性の胸部に装着した際、優れたフィット性によりズレ等が生じることがなく、装着している状態を目立ちにくくした胸部用肌着を提供する。【解決手段】  伸縮性を有する編み生地を筒状に形成した胸部用肌着であって、前記編み生地は、１２〜７０デニールのナイロン系糸５と、１５〜４０デニールのポリウレタン糸に１２〜７０デニールのナイロン系糸を巻き付けたカバリング糸４とを交互に編成している。【選択図】  図１
2020180397.tif 000002
【特許請求の範囲】
【請求項１】
伸縮性を有する編み生地を筒状に形成した胸部用肌着であって、
前記編み生地は、１５〜４０デニールのポリウレタン糸に１２〜７０デニールのナイロン系糸を巻き付けたカバリング糸により編成していることを特徴とする胸部用肌着。
【請求項２】
伸縮性を有する編み生地を筒状に形成した胸部用肌着であって、
前記編み生地は、１２〜７０デニールのナイロン系糸と、１５〜４０デニールのポリウレタン糸に１２〜７０デニールのナイロン系糸を巻き付けたカバリング糸とを交互に編成していることを特徴とする胸部用肌着。
【請求項３】
前記編み生地が肌と同系色の色相となるように染色されていることを特徴とする請求項１又は２のいずれかに記載の胸部用肌着。
【請求項４】
前記筒状に形成された編み生地は、その上下端部の少なくとも一方端部側にバンド部を形成していることを特徴とする請求項１又は２のいずれかに記載の胸部用肌着。
【発明の詳細な説明】
【技術分野】
【０００１】
本発明は、主として女性が使用する胸部用下着に関するものである。
【背景技術】
【０００２】
一般的に、乳癌に対する治療として、乳房を全摘出する外科的な手術、すなわち、乳癌となった乳房を切除してしまう乳癌除去手術といった方法が行われている。そして、こうした外科的手術を受けた者は、乳房を切除した後の胸部における乳房欠損箇所をカモフラージュするために、当該箇所にシリコン等を材質とする人工乳房（特許文献１又は２）を接着剤によって装着するなどしている。これらの人工乳房は、実際の乳房に近似した形態に形成されてはいるものの、やはり、人工物であるが故に外観上どうしても違和感を伴ってしまうことが否めない。そのため、人工乳房を装着した女性が、例えば、公衆浴場等といった多数の者の目に触れるような場所で入浴することに躊躇してしまうようなことが多々存在している。
【０００３】
また、別の問題として、女性、特に思春期の女子は、人前で裸になって胸部を他人に見られることに抵抗感を抱いている場合があり、それが故に、公衆浴場などにおける入浴をためらってしまうような場合も少なからず存在している。
【０００４】
このような場合に、胸部を隠すためにブラジャーや特許文献３に示されているようないわゆるスポーツブラを着用して入浴することも考えられなくはない。
【先行技術文献】
【特許文献】
【０００５】
【特許文献１】特開２０１６−１６１４０号公報
【特許文献２】特開２０１３−３３２号公報
【特許文献３】特表２０１３−５４０２１１号公報
【発明の概要】
【発明が解決しようとする課題】
【０００６】
しかしながら、ブラジャーやスポーツブラを着用したまま入浴するとすれば、逆に目立つことになって、余計に人目を惹いてしまうことになりかねない。また、ブラジャーやスポーツブラは、比較的目の詰まった生地で製作されているため、公衆浴場等において、これらを着用したままで胸部を洗うことは事実上困難である。
【０００７】
そこで、本発明は、女性が胸部を露出せざるを得ない公衆浴場のような場所等においても、女性の胸部を比較的目立つことなく隠すことができ、しかも、優れたフィット性によりズレ等が生じることもなく、さらには、着用した状態において、そのまま胸部を洗うことができる胸部用肌着を提供することを目的としている。
【課題を解決するための手段】
【０００８】
上記のような課題を解決するために本発明は、伸縮性を有する編み生地を筒状に形成した胸部用肌着であって、前記編み生地は、１５〜４０デニールのポリウレタン糸に１２〜７０デニールのナイロン系糸を巻き付けたカバリング糸により編成していることを特徴としている。
【０００９】
また、本発明は、伸縮性を有する編み生地を筒状に形成した胸部用肌着であって、前記編み生地は、１２〜７０デニールのナイロン系糸と、１５〜４０デニールのポリウレタン糸に１２〜７０デニールのナイロン系糸を巻き付けたカバリング糸とを交互に編成していることを特徴としている。
【００１０】
なお、前記編み生地は、肌と同系色の色相となるように染色されていることが好ましい。このようにすることで、胸部用肌着を着用していても、女性の胸部を比較的目立つことなく隠すことができる。
【００１１】
また、前記筒状に形成された編み生地は、その上下端部の少なくとも一方端部側にバンド部が形成されていることが好ましい。このようにすることで、胸部用肌着の着用時に胸部用肌着がズレてしまうこと等を確実に防止することができる。
【発明の効果】
【００１２】
本発明に係る胸部用肌着によれば、その編み生地が極細の糸で編成されていて生地自体が非常に薄く、また、肌と同系色の色相となるように染色されていることから、女性が胸部を露出せざるを得ない公衆浴場のような場所等においても、女性の胸部を比較的目立つことなく隠すことができる。しかも、極細の糸で編成したことで編み目に隙間が生じるため、胸部用肌着を着用した状態において、そのまま胸部を洗うことができる。さらに、編み生地に使用する糸にポリウレタン糸を使用していることにより、優れたフィット性を得ることができ、胸部用肌着が胸部からズレてしまうといった問題を著しく低減することができる。
【図面の簡単な説明】
【００１３】
【図１】胸部用肌着の斜視図。
【図２】胸部用肌着の着用時の斜視図。
【図３】編み生地の編み組織を示す部分拡大図。
【発明を実施するための形態】
【００１４】
以下、本発明に係る胸部用肌着の実施の形態を説明する。図１は胸部用肌着の斜視図、図２は胸部用肌着の着用時の斜視図、図３は編み生地の編み組織を示す部分拡大図である。本実施形態における胸部用肌着は、図１及び図２に示されているように胸部及び背中部を被覆し得るように筒状に形成された本体部１と、本体部１の上端部と下端部のそれぞれに設けられ該本体部１よりも圧着性が強いバンド部２Ａ，２Ｂとによって概略構成されている。
【００１５】
前記本体部１と前記バンド部２Ａ，２Ｂとによって構成される胸部用肌着は、原糸の選択、編立て、プリセット、染色、仕上げという各工程を経て製作されることになる。そこで、これらの各工程に従って順に説明していく。まず、本体部１の編み生地に使用される糸であるが、３０デニールのポリウレタン糸を芯糸とし、これに３０デニールのウーリーナイロン糸を巻き付けてなるカバリング糸４、及び該カバリング糸４と交互に編成する３０デニールのウーリーナイロン糸５が選択される。一方、バンド部２Ａ，２Ｂの編み生地に使用される糸は、１４０デニールのポリウレタン糸、及び３０デニールのウーリーナイロン糸が選択される。
【００１６】
次に、前記のとおり選択された糸を用いて、本体部１及びバンド部２Ａ，２Ｂの編立て工程に移るが、この編立ては、４口の靴下編み機や４口のパンスト編み機といった自動編み機によって行われる。この時、自動編み機は、バンド部２Ａ、本体部１、バンド部２Ｂの順に編成し、ここまで編成したら、一旦糸を切って、１つの編み生地を完成させることになる。ここで、具体的な編立てについて説明すると、まず、バンド部２Ａについては、４口の自動編み機の第１口に１４０デニールのポリウレタン糸と３０デニールのウーリーナイロン糸、第２口乃至第４口の各々に３０デニールのウーリーナイロン糸を供給し、タック編みで袋編みに編成している。すなわち、第１口は全部ループ、第２口はタック、ループ、タック、ループ（第４口と交互）、第３口は全部ループ、第４口はタック、ループ、タック、ループ（第２口と交互）というように編成していく。そして、このバンド部２Ａの編成終了後に、本体部１の編成に切り換える。この本体部１については、４口の自動編み機の第１口に３０デニールのポリウレタン糸に３０デニールのウーリーナイロン糸を巻回したカバリング糸４、第２口に３０デニールのウーリーナイロン糸５、第３口に３０デニールのポリウレタン糸に３０デニールのウーリーナイロン糸を巻回したカバリング糸４、第４口に３０デニールのウーリーナイロン糸５を供給し、プレーン編みで袋編みに編成していく。そして、この本体部１の編成終了後は、バンド部２Ｂの編成に切り換える。この時は、４口の自動編み機を前述のバンド部２Ａと同様の仕様に戻して編成し、バンド部２Ｂの編成終了後に一旦糸を切って、１つの胸部用肌着の編み生地の編成工程が完了する。すなわち、バンド部２Ａ、本体部１、バンド部２Ｂが連続する筒状になった１の編み生地が完成する。
【００１７】
前記編成工程終了後は、プリセット加工が施される。具体的には、編成された編み生地を真空状態の蒸気釜において６０°Ｃ〜９０°Ｃの温度で圧縮する。これを１、又は２サイクル行うことで、編み生地は、その編み目や寸法が一定のものに整ってくる。もっとも、この段階では、編み生地はまだ白色であるので、ドラム式の回転染色機で肌と同系色の色相となるように染色する。この時、染色工程を経た編み生地は、くしゃくしゃに皺が入った状態であることから、仕上げの工程として、金属製の型に被せた後、１１０°Ｃの蒸気でプレスして平坦なものに仕上げて完成する。
【００１８】
なお、前記実施形態では、胸部用肌着の編み生地をウーリーナイロン糸５とカバリング糸４とを交互に編成した例を示したが、カバリング糸４のみで編成することでも、本発明の目的を達成することはできる。この場合、前述の製作工程のうち、編み立て工程が異なるのみで、他の工程はすべて同じになる。
【００１９】
ちなみに、前記実施形態では、本体部を編成するカバリング糸の芯糸となるポリウレタン糸の太さを３０デニールとし、これに巻回されるウーリーナイロン糸の太さを３０デニールとした例を示したが、これに限られるわけではない。すなわち、カバリング糸の芯糸となるポリウレタン糸は、１５〜４０デニールの範囲、これに巻回されるナイロン系糸は、１２〜７０デニールの範囲であっても本発明の目的を達成することができる。また、前記実施形態では、カバリング糸に交互に編成するウーリーナイロン糸の太さを３０デニールとした例を示したが、これに限られるわけではない。すなわち、カバリング糸に交互に編成するナイロン系糸は、１２〜７０デニールの範囲であっても本発明の目的を達成することができる。さらに、前記実施形態では、バンド部を編成するポリウレタン糸の太さを１４０デニールとした例を示したが、これに限られず、１００〜１５０デニールの範囲であればよく、また、前記実施形態では、バンド部を編成するナイロン系糸の太さを３０デニールとした例を示したが、これに限られず、１２〜７０デニールの範囲であればよい。
【００２０】
以上のように本発明に係る胸部用肌着は構成されるが、胸部用肌着の本体部１の編み生地に、ポリウレタン糸を芯糸としたカバリング糸を使用することにより、ポリウレタンの弾力性が編み生地自体に伸縮性を付与し、ひいては、胸部用肌着を着用者にフィットさせることができる。また、本体部１の編み生地に使用される糸の太さを前述のような極細のものとすることで、編成された編み生地において、図３に示されるような細かな隙間Ｓ，Ｓ，Ｓ・・が生じることになる。すなわち、極細の糸を使用することで、適度な隙間が形成されることになり、例えば、スポーツブラ等のように、編み生地の目が詰まりすぎてしまうことがなくなる。そのため、胸部用肌着の着用者が、浴場等において胸部用肌着を着用したまま胸部を洗った場合でも、本体部１の編み生地に形成された隙間Ｓ，Ｓ，Ｓ・・から湯水や石鹸が通過することになり、そのまま胸部を洗浄することができる。また、前述の本体部１の編成において、カバリング糸４のみによって編成した場合と、カバリング糸４とナイロン系糸５とを交互に編成する選択肢を示したが、カバリング糸４のみによって編成した場合には、カバリング糸４の芯糸であるポリウレタン糸が多くなって伸縮性が高くなるため、しっかりとしたサポート力を望む着用者には、この編成手法が好まれる。一方、カバリング糸４とナイロン系糸５とを交互に編成した場合には、前者よりも伸縮性はないものの、丈夫で破れにくくなるため、耐久性を望む着用者には、この編成が好まれる。すなわち、これらのいずれにするかは、着用者の好みに応じて選択されることになる。
【００２１】
なお、胸部用肌着を実際に着用する場合には、筒状になった胸部用肌着に足を通した後、胸部用肌着をそのまま胸部まで刷り上げて装着する。この時、乳癌除去手術により乳房を切除された胸部に人工乳房を装着している場合には、人工乳房を覆うように胸部用肌着を装着する。このように装着された胸部用肌着は、極細の糸で編成されていて生地自体が非常に薄く、また、肌と同系色の色相となるように染色されていることから、女性が胸部を露出せざるを得ない公衆浴場のような場所等においても、女性の胸部を目立たせることなく隠すことができる。
【００２２】
なお、本実施形態において、本体部の上下端部のそれぞれにバンド部を設けた例を示したが、これらバンド部は必ずしも設ける必要はない。すなわち、本体部のみでも、ポリウレタン糸の弾性力により、胸部にフィットさせることができるので、バンド部がなくても本発明の目的は達成できる。また、バンド部を上下端のいずれか一方にのみ設けても本発明の目的は達成できる。
【符号の説明】
【００２３】
１      本体部
２Ａ    バンド部
２Ｂ    バンド部
４      カバリング糸
５      ナイロン系糸
【図１】
2020180397.tif 000003
【図２】
2020180397.tif 000004
【図３】
2020180397.tif 000005